(57)【要約】【課題】弾球遊技機の前面扉枠をアルミニウムの押出成形材にて構成して強度を高めること。【解決手段】前面扉枠１は、長方形の窓３の四囲をアルミニウムの押出成形材である上辺部材７、下辺部材８、左辺部材９及び右辺部材１０にて構成したので、強度に優れ、また精度の高い前面扉枠を得ることができ、例えば前面扉枠１をこじ開けるような不正行為に対する耐性が極めて高い。  のみならず、アルミニウムの押出成形材自体に着色できるので、押出成形材の一部はプラスチック製品などで装飾しない構成にすることも可能である。少なくとも前面扉枠１の外周面や、窓３の内周面は押出成形材のままにすることができ、装飾材の使用量を低減できる。【選択図】図１
2010063492.tif 000002
【特許請求の範囲】
【請求項１】
遊技盤を臨ませるための窓が設けられ、背面側には前記窓を閉鎖するための透明板を保持し、前面の下部には賞球を受け容れる受皿が取り付けられ、ヒンジ機構を介して遊技機の本体側に取り付けられる前面扉枠において、
長方形の前記窓の四囲をアルミニウムの押出成形材である上辺部材、下辺部材、左辺部材及び右辺部材にて構成した
ことを特徴とする前面扉枠。
【請求項２】
請求項１記載の前面扉枠において、
前記左辺部材及び右辺部材には、
前記窓の縦辺に沿って上下方向に延びる内嵌着溝と、前記内嵌着溝よりも前記前面扉枠の外周側で前記窓の縦辺に沿って上下方向に延びる外嵌着溝とが、平行状に対をなして設けられ、
一端を前記内嵌着溝の上端又は下端から前記内嵌着溝に差し込むことでのみ前記内嵌着溝にはめ合わせできる内側嵌着条部と、一端を前記外嵌着溝の上端又は下端から前記外嵌着溝に差し込むことでのみ前記外嵌着溝にはめ合わせできる外側嵌着条部とを備える、透光性のプラスチック製の電飾レンズが、前記内側嵌着条部を前記内嵌着溝にはめ合わせ、前記外側嵌着条部を前記外嵌着溝にはめ合わせて取り付けられている
ことを特徴とする前面扉枠。
【発明の詳細な説明】
【技術分野】
【０００１】
本発明はパチンコ機等の弾球遊技機の技術分野に属する。
【背景技術】
【０００２】
パチンコ機等の弾球遊技機は、遊技盤面に形成された遊技領域に打ち込まれた遊技球の挙動、例えば入賞するか否か、ゲートを通過するか否か、特定の領域に進入するか否か等により遊技が行われる。
【０００３】
そのため、遊技盤を臨ませるための窓が設けられ、背面側には窓を閉鎖し、また遊技領域から遊技球がこぼれ出るのを防ぐための透明板を保持し、自身はヒンジ機構を介して遊技機の本体側に取り付けられる前面扉枠を備えるのが普通である。
【０００４】
弾球遊技機には前面扉枠以外にも幾つかの枠が備わっているが、特開２００２−１２６２９４には、遊技盤、打球部、表枠（前面扉枠に相当）を取付ける機枠であって、門形状の囲繞枠を構成する左右の縦枠部分及び上方の横枠部分を、アルミニウム製の押出成形材と成したパチンコ機の遊技盤機枠が開示されている（請求項４）。
【０００５】
また、前面扉枠に取り付けられるガラス枠をアルミニウム製とする技術も特開平９−１７３５７１号公報に開示されている。
【特許文献１】特開２００２−１２６２９４
【特許文献２】特開平９−１７３５７１
【発明の開示】
【発明が解決しようとする課題】
【０００６】
上記のように、弾球遊技機の幾つかの枠の一つ、例えば遊技盤機枠をアルミニウム製の押出成形材にて構成する技術や、ガラス枠をアルミニウム製とする技術は公知である。
しかし、前面扉枠については、本体部分はプラスチック製として、その補強として板金を使用する構成が主流であった。
【課題を解決するための手段】
【０００７】
請求項１記載の前面扉枠は、遊技盤を臨ませるための窓が設けられ、背面側には前記窓を閉鎖するための透明板を保持し、前面の下部には賞球を受け容れる受皿が取り付けられ、ヒンジ機構を介して遊技機の本体側に取り付けられる前面扉枠において、
長方形の前記窓の四囲をアルミニウムの押出成形材である上辺部材、下辺部材、左辺部材及び右辺部材にて構成したことを特徴とする。
【０００８】
長方形の窓の四囲をアルミニウムの押出成形材である上辺部材、下辺部材、左辺部材及び右辺部材にて構成したので、強度に優れ、また精度の高い前面扉枠を得ることができ、例えば前面扉枠をこじ開けるような不正行為に対する耐性が極めて高い。
【０００９】
のみならず、アルミニウムの押出成形材自体に着色できるので、押出成形材の一部はプラスチック製品などで装飾しない構成にすることも可能である。少なくとも前面扉枠の外周面や、窓の内周面は押出成形材のままにすることができ、装飾材の使用量を低減できる。
【００１０】
請求項２記載の前面扉枠は、
請求項１記載の前面扉枠において、
前記左辺部材及び右辺部材には、
前記窓の縦辺に沿って上下方向に延びる内嵌着溝と、前記内嵌着溝よりも前記前面扉枠の外周側で前記窓の縦辺に沿って上下方向に延びる外嵌着溝とが、平行状に対をなして設けられ、
一端を前記内嵌着溝の上端又は下端から前記内嵌着溝に差し込むことでのみ前記内嵌着溝にはめ合わせできる内側嵌着条部と、一端を前記外嵌着溝の上端又は下端から前記外嵌着溝に差し込むことでのみ前記外嵌着溝にはめ合わせできる外側嵌着条部とを備える、透光性のプラスチック製の電飾レンズが、前記内側嵌着条部を前記内嵌着溝にはめ合わせ、前記外側嵌着条部を前記外嵌着溝にはめ合わせて取り付けられている
ことを特徴とする。
【００１１】
請求項２記載の前面扉枠の左辺部材及び右辺部材には、窓の縦辺に沿って上下方向に延びる一対の嵌着溝が平行状に設けられている。それら一対の嵌着溝の内で窓の縦辺に近い方を内嵌着溝、相対的に窓の縦辺から遠い方（前面扉枠の外周側になる方）を外嵌着溝という。これら嵌着溝は、横断面形状が例えばＴ字状、Ｌ字状等の、溝にはめ合わせになった部材（嵌着条部）を溝の開口（両端ではない）から抜き取れない形状とされる。
【００１２】
それら左辺部材及び右辺部材には透光性のプラスチック製の電飾レンズが取り付けられるが、電飾レンズには、一端を内嵌着溝の上端又は下端から内嵌着溝に差し込むことでのみ内嵌着溝にはめ合わせできる内側嵌着条部と、一端を外嵌着溝の上端又は下端（但し、内側嵌着条部の場合と同端）から外嵌着溝に差し込むことでのみ外嵌着溝にはめ合わせできる外側嵌着条部とを備える。
【００１３】
そして、例えば内側嵌着条部の上端を内嵌着溝の例えば下端から内嵌着溝に差し込み、同様に外側嵌着条部の上端を外嵌着溝の例えば下端から外嵌着溝に差し込んで、電飾レンズを上向きに相対移動させることで、内側嵌着条部を内嵌着溝にはめ合わせ、外側嵌着条部を外嵌着溝にはめ合わせて、電飾レンズを左辺部材に取り付ける。また、右辺部材にも同様にして電飾レンズを取り付ける。ビスを使用せずに（位置決め用には使うとしても）電飾レンズを取り付けることができる。
【発明を実施するための最良の形態】
【００１４】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、本実施例の前面扉枠１は、遊技盤２を臨ませるための窓３が設けられ、背面側には窓３を閉鎖するためのガラス板４を保持したガラス枠５が取り付けられ、前面の下部には賞球を受け容れるための上受皿６が取り付けられている。前面扉枠１は、ヒンジ機構を介して遊技機（本例ではパチンコ機）の本体側に取り付けられるが、本体側（外枠、中枠、裏セット等）の図示と説明は省略する。
【００１５】
前面扉枠１の躯体部分１ａは、図３に示すようにアルミニウムの押出成形材である上辺部材７、下辺部材８、左辺部材９及び右辺部材１０を、鋼製の連結金具１１、１２、１３、１４にて相互に連結して構成されている。
【００１６】
左辺部材９には、その内側の縦辺（窓３の縦辺となる）に沿った内緩着部１５と、外側の縦辺（躯体部分１ａの外周となる縦辺）に沿った外緩着部１６とが、表側に突出して設けられている。それら内緩着部１５と外緩着部１６とは、図３に示す通り窓３の縦辺に沿って上下方向に延び、平行状に対をなして設けられている。そして、内緩着部１５には横断面形状がＬ字状の内嵌着溝１５ａが全長にわたって設けられ、外緩着部１６にはＬ字を２つ組み合わせた形状の外嵌着溝１６ａが全長にわたって設けられている。但し、外嵌着溝１６ａのうちで実際に使用されるのは図２における下半部すなわちＬ字状の部分であるから、外嵌着溝１６ａも横断面形状がＬ字といって差し支えない。
【００１７】
右辺部材１０にも、左辺部材９と同様の内緩着部１７と外緩着部１８とが設けられ、それぞれには内嵌着溝１５ａと同様の内嵌着溝１７ａ、外嵌着溝１６ａと同様の外嵌着溝１８ａが設けられている。
【００１８】
なお、図２に示すように、内嵌着溝１５ａ（内緩着部１５）と内嵌着溝１７ａ（内緩着部１７）、外嵌着溝１６ａ（外緩着部１６）と外嵌着溝１８ａ（外緩着部１８）は互いに略鏡像となっている。
【００１９】
図１及び図２に示すように、左辺部材９には左電飾レンズ２１が、右辺部材１０には右電飾レンズ２２が取り付けられている。なお、左電飾レンズ２１及び右電飾レンズ２２は透光性のプラスチック製である。
【００２０】
左電飾レンズ２１は、内側嵌着条部２３を内嵌着溝１５ａにはめ合わせ、外側嵌着条部２４を外嵌着溝１６ａにはめ合わせて取り付けられている。
詳しくは、内側嵌着条部２３の下端を内嵌着溝１５ａの上端部に差し込み、また外側嵌着条部２４の下端を外嵌着溝１６ａの上端部に差し込んでから左電飾レンズ２１を下降させることで、内側嵌着条部２３を内嵌着溝１５ａ内にて摺動させ、外側嵌着条部２４を外嵌着溝１６ａ内にて摺動させることで図示のようにはめ合わせにしてある。
【００２１】
内側嵌着条部２３、外側嵌着条部２４がＬ字状の横断面形状をなしているので、内嵌着溝１５ａ、外嵌着溝１６ａのスリット状の開口（上下両端ではない）から内側嵌着条部２３、外側嵌着条部２４をはめ込むことも抜きとることもできない。
【００２２】
右電飾レンズ２２も同様にして、内側嵌着条部２５を内嵌着溝１７ａにはめ合わせ、外側嵌着条部２６を外嵌着溝１８ａにはめ合わせて、右辺部材１０に取り付けられている。
なお、左電飾レンズ２１及び右電飾レンズ２２は、下側への移動は下辺部材８に当接することで阻まれ、上側への移動は上辺部材７の前面側に取り付けられた上装飾部材２９によって阻まれる。
【００２３】
左電飾レンズ２１及び右電飾レンズ２２が上記のようにして取り付けられるので、左電飾レンズ２１及び右電飾レンズ２２の取り付けにはビスを使用する必要がない。
このように本実施例の前面扉枠１は、長方形の窓３の四囲をアルミニウムの押出成形材である上辺部材７、下辺部材８、左辺部材９及び右辺部材１０にて構成したので、強度に優れ、また精度の高い前面扉枠を得ることができ、例えば前面扉枠１をこじ開けるような不正行為に対する耐性が極めて高い。
【００２４】
のみならず、アルミニウムの押出成形材自体に着色できるので、押出成形材の一部はプラスチック製品などで装飾しない構成にすることも可能である。少なくとも前面扉枠１の外周面や、窓３の内周面は押出成形材のままにすることができ、装飾材の使用量を低減できる。
【図面の簡単な説明】
【００２５】
【図１】実施例の前面扉枠を装備したパチンコ機の一部図示を省略した側面図（ａ）、正面図（ｂ）、縦断面図（ｃ）。
【図２】実施例の前面扉枠を装備したパチンコ機の一部図示を省略した横断面図。
【図３】実施例の前面扉枠の躯体部分の平面図（ａ）、正面図（ｂ）、底面図（ｃ）、側面図（ｄ）、背面図（ｅ）。
【符号の説明】
【００２６】
１・・・前面扉枠、
１ａ・・・躯体部分、
２・・・遊技盤、
３・・・窓、
４・・・ガラス板、
５・・・ガラス枠、
６・・・上受皿、
７・・・上辺部材、
８・・・下辺部材、
９・・・左辺部材、
１０・・・右辺部材、
１１・・・連結金具、
１５・・・内緩着部、
１５ａ・・・内嵌着溝、
１６・・・外緩着部、
１６ａ・・・外嵌着溝、
１７・・・内緩着部、
１７ａ・・・内嵌着溝、
１８・・・外緩着部、
１８ａ・・・外嵌着溝、
２１・・・左電飾レンズ、
２２・・・右電飾レンズ、
２３・・・内側嵌着条部、
２４・・・外側嵌着条部、
２５・・・内側嵌着条部、
２６・・・外側嵌着条部、
２９・・・上装飾部材。
【図１】
2010063492.tif 000003
【図２】
2010063492.tif 000004
【図３】
2010063492.tif 000005